(57)【特許請求の範囲】
【請求項１】
メール受信時に、受信したメールが重要であるか否かを判断する判断手段と、
前記メールが重要であると判断された場合に、ユーザにより予め設定された方法により、前記メールが重要であることを表示手段により知らせる報知手段と、を備える携帯電話機であって、
前記判断手段は、
受信したメールに対する返信率が所定値以上である送信者から受信したメールである場合に、該メールを重要であると判断する、
携帯電話機。
【請求項２】
前記判断手段は、受信したメールにファイルが添付されている場合、かつ、受信したメールに添付されたファイルが所定の種類である場合に重要であると判断する請求項１記載の携帯電話機。
【請求項３】
前記判断手段は、受信したメールに所定のキーワードが含まれている場合に重要であると判断する請求項１または２記載の携帯電話機。
【発明の詳細な説明】
【技術分野】
【０００１】
本発明は、メールの送受信が可能な携帯電話機に関し、特に、メール受信時に用いる報知方法の制御に関する。
【背景技術】
【０００２】
携帯電話機に備わるメール送受信機能は、携帯電話機を所持するユーザ数の増加とメールの送受信に要する金銭的コストの低廉化傾向とが相まって、コミュニケーションツールのひとつとして広く普及している。メールサービスが多数の人に利用されるようになり、ありふれた出来事の報告から緊急度の高い重大な用件の伝達まで、ありとあらゆる種類の情報がメールによってやりとりされるようになっている。
【０００３】
このメールサービスの利便性をより一層向上させる技術として、ユーザ各々に適した時間長で呼び出しの報知を行うために、簡単なキー操作で報知音の鳴動時間の変更設定を可能にする呼出報知装置が下記の特許文献１に開示されている。
【先行技術文献】
【特許文献】
【０００４】
【特許文献１】特開平８−３７６７６号公報
【発明の概要】
【発明が解決しようとする課題】
【０００５】
特許文献１ に記載の呼出報知装置は、例えばメールの受信にかかる報知音の鳴動時間
を、簡単な操作で変更することはできる。
【０００６】
しかしながら、ユーザは、あらゆる種類の情報をメールでやりとりするので、メールの受信を報知する報知音には気が付いていても、そのメールが重要な内容を含んでいるとは思わずに、内容を直ちに確認しないことがある。例えば、至急返信するよう求めているメールを受信しているにもかかわらず、ユーザが他の用事を優先してメールの内容の確認を後回しにしてしまう事態が発生しうる。また、何らかの事情により、ユーザがメールの受信にかかる報知音を聞き逃すこともありうる。
【０００７】
このような事態の発生は、ユーザ同士の円滑なコミュニケーションに支障を来すおそれがあるため、ユーザにとっては、好ましいものではない。
【０００８】
そこで、本発明は、ユーザにとって重要な内容を含むメールを受信したことを、ユーザに早期に知覚させることを可能にする携帯電話機を提供することを目的とする。
【課題を解決するための手段】
【０００９】
上記課題を解決するため、本発明にかかる携帯電話機は、メール受信時に、受信したメールに関連する情報に基づいて、受信したメールが重要であるか否かを判断する判断手段と、前記判断結果に応じて、当該メールの受信をユーザに知覚させるために用いる知覚報知方法を決定する決定手段とを備えることを特徴とする。
【発明の効果】
【００１０】
本発明にかかる携帯電話機は、上述の構成を備えることにより、受信したメールが重要であるか否かに応じてメール受信時の報知方法を決定する。したがって、重要なメールを受信したときに、重要でない通常のメール受信時とは異なる方法で報知を行うことで、ユ
ーザは、メール受信時に、重要なメールを受信したことを認識することができる。
【００１１】
ところで、携帯電話機は、例えば着信音の鳴動やバイブレータによる振動やLED（Light
Emitting  Diode） 発光部による発光など、様々な方法でメールの受信をユーザに報知することができる。
【００１２】
しかし、ユーザにとってどの報知方法が、ユーザにメールの受信を知覚させるのに効果的かはユーザごとに異なるものと考えられる。例えば、日常的に騒音の激しい環境にいるユーザにとっては、報知音を聞き取れない場合が多いことが予想されるので、メールの受信を早期に知らせるためには、着信音を大音量で鳴動させるよりも、バイブレータによる振動などを用いて報知を実行するほうがよいと考えられる。
【００１３】
したがって、重要なメールを受信したことをユーザに速やかに認識させるためには、ユーザごとに最も効果的な方法で報知を実行することが望ましい。そこで、前記決定手段は、メール受信時に用いられた知覚報知方法と、当該知覚報知方法による報知を実行してから所定時間内に当該メールが読み出されたか否かとを対応づけた報知結果を、履歴として記憶する履歴記憶部と、前記履歴記憶部に記憶されている報知結果の履歴に基づいて、前記知覚報知方法のうち、ユーザの応答率が最も高い最適報知方法を選出する報知方法選出部とを含み、前記判断手段が重要であると判断すると、前記選出された最適報知方法を、前記知覚報知方法として決定することとしてもよい。
【００１４】
これにより、本発明にかかる携帯電話機は、いくつかの報知方法を用いて報知を実行した後、記憶されている報知結果の履歴に基づいて、ユーザによって早期にメール内容の確認が行われる確率の最も高い報知方法を選出することができる。
【００１５】
また、前記決定手段は、さらに、前記判断手段が重要と判断する重要メールを所定回数受信するまで前記選出を抑止するとともに、前記重要メールを受信するごとにいずれかの知覚報知方法を用いて報知を実行する報知試験を行い、前記報知試験の実行結果である報知結果を所定回数分、前記履歴記憶部に記憶させる報知試験部を含み、前記報知方法選出部は、前記報知試験部によって所定回数の前記報知試験が行われると、前記履歴記憶部に記憶されている所定回数分の前記報知結果に基づいて、前記選出を行うこととしてもよい。
【００１６】
これにより、本発明にかかる携帯電話機は、どの報知方法がユーザに対してメールの受信を知覚させるのに最も効果的であるかを判定するために行う報知試験を、ユーザの手を煩わせることなく自動的に携帯電話機に実行させることができる。
【００１７】
また、前記携帯電話機は、さらに、前記重要メールを受信したときに、前記選出した最適報知方法を用いた報知を実行してから、所定時間内に当該重要メールが読み出されたか否かを判断する報知効果判断手段を備え、前記決定手段は、前記報知効果判断手段が否定的な判断をすると、前記報知試験部による所定回数の前記報知試験の実行を開始し、前記報知方法選出部による前記選出を新たに行うこととしてもよい。
【００１８】
これにより、本発明にかかる携帯電話機は、報知方法選出部によって選出した報知方法を用いてメールの受信を報知したにもかかわらず、ユーザが所定時間内にメールを確認しなかった場合には、選出した報知方法による報知が、ユーザによってメールの確認を早期に行わせるには既に効果的ではないと判断する。この場合、携帯電話機は、より効果的な報知方法を選出するために、新たに報知試験を開始して、その結果に基づいて報知方法の選出を行う。
【００１９】
したがって、報知方法の選出後にユーザにとって効果的な報知方法が変化した場合に、その変化に対応して、報知方法の選出を新たに行うことができる。
【００２０】
また、前記受信したメールに関連する情報とは、メール本文のことであり、前記判断手段は、１以上のキーワードを記憶するキーワード記憶部を含み、前記受信したメールのメール本文に、記憶されているキーワードが含まれるときに重要であると判断することとしてもよい。
【００２１】
これにより、本発明にかかる携帯電話機は、記憶している所定のキーワードが受信したメールの本文に含まれている場合に、当該受信したメールが重要であると判断する。
【００２２】
したがって、ユーザにとって関心度の高い話題に頻出するキーワードや、緊急度の高い用件に含まれるキーワードなどをキーワード記憶部に記憶させておくことで、ユーザは、キーワードを含むメールを受信した時に、受信したメールが所定のキーワードに関連する話題を含んだ、ユーザにとって重要度の高いメールであることを知ることができる。
【００２３】
特に、重要なメールであることを示す文字列が、所定のフォーマットとして定められていたり、定着していたりする場合など、ユーザが関係する組織などの間で定型化していたり、頻繁に用いられたりする場合には、それらの文字列をキーワードとして記憶しておくことで、それらの文字列を含んだメールを受信したときに、受信したメールが重要であるとの判断を確実に実行することができる。
【００２４】
例えば、所定のフォーマットとして、「！緊急！」などの文字列を含めることが慣例となっている場合や、ユーザ同士の間で用いられる略語などが重要なメールであることを示す文字列として定着している場合などにおいて、メールの重要度を的確に判断することができる。
【００２５】
また、前記受信したメールに関連する情報とは、メール本文のことであり、前記判断手段は、１以上のキーワードを、点数と対応づけて記憶するキーワード記憶部を含み、前記受信したメールのメール本文に、記憶されているキーワードが含まれ、かつ、含まれる各キーワードと対応づけられている点数の合計が所定点以上のときに重要であると判断することとしてもよい。
【００２６】
これにより、キーワードごとにランク付けをすることができるので、受信したメールの重要度の判断を、単に所定のキーワードがメール本文に含まれているか否かに応じて判断する場合と比べると、各キーワードの重要度に応じた、より柔軟な判断とすることができる。
【００２７】
例えば、ユーザにとって特に関心度や重要度が高いキーワードには、重要度が低いキーワードよりも大きい点数を携帯電話機に記憶させておく。そして、受信したメールの重要度を判断する際に、ユーザにとって特に関心度や重要度が高い、すなわち大きい点数のキーワードがメール本文に含まれる場合には、常にそのメールは重要であると判断し、また、重要度が低い、すなわち小さい点数のキーワードが含まれる場合には、そのようなキーワードが複数含まれる場合に重要と判断することができる。
【００２８】
ところで、ユーザは、趣味や嗜好の異なるさまざまな通信相手とメールのやりとりを行うので、ユーザにとって重要度の高いメールに含まれるキーワードは、通信相手ごとに異なることが考えられる。例えば、共通の趣味を持つあるユーザとの関係では、その共通の趣味に関するキーワードは、趣味を同一にしない他のユーザと比べると、キーワードの重要度が高くなることが考えられる。
【００２９】
そこで、前記キーワード記憶部は、メールアドレスごとに前記キーワードを記憶し前記判断手段は、前記受信したメールのメールアドレスと対応づけられて記憶されている前記キーワードを用いて前記判断を行うこととしてもよい。
【００３０】
これにより、通信相手のメールアドレスごとにキーワードを記憶しているので、重要度の高いキーワードが通信相手ごとに異なる場合に、ユーザと通信相手それぞれとの関係に応じて、受信したメールの重要度の判断を実行することができる。
【００３１】
また、前記携帯電話機は、さらに、キーワードを前記キーワード記憶部に記憶するよう要求する登録要求を他のユーザから受け付ける受付手段を備え、前記キーワード記憶部は、登録要求を受け付けたキーワードを記憶することとしてもよい。
【００３２】
これにより、メールを受信する受信側ユーザにとっては、メールを送信する送信側ユーザからキーワードの登録要求を受け付けることで、受信したメールを重要と判断するためのキーワードを、受信側ユーザ自らの手で携帯電話機に記憶させる手間が省ける。
【００３３】
一方、送信側ユーザにとっては、送信側ユーザが重要と考えるキーワードを、送信側ユーザの手によって受信側ユーザの携帯電話機に記憶するよう登録要求を行うことができる。
【００３４】
したがって、登録要求によってキーワードを受信側ユーザの携帯電話機に記憶させた後は、送信側ユーザは、当該キーワード群を含むメールを送信するときに、受信側ユーザの携帯電話機がその送信にかかるメールは重要であると判断することを期待してメールの送信を行うことができる。すなわち、受信側ユーザによって早期に確認されることを期待してメールを送信することができる。
【００３５】
また、前記携帯電話機は、さらに、受信したメールを履歴として記憶する受信メール記憶手段と、メールに含まれる単語を抽出する単語抽出手段と、記憶されている受信メールの履歴に基づいて、前記抽出した各単語の受信メールにおける出現頻度を出力する出力手段と、出力された前記出現頻度が所定頻度以上であるか否かを判断する出現頻度判断手段と、前記判断の結果に応じて、前記キーワード記憶部に記憶させる単語の候補を選出する登録候補選出手段と、前記選出した単語をディスプレイに表示する単語表示手段とを備えることとしてもよい。
【００３６】
これにより、受信したメールに頻出するキーワードを、メールの重要度を判断するためのキーワードの候補として選出することができる。
【００３７】
したがって、ユーザは、キーワードの出現頻度を考慮に入れて、受信したメールの重要度の判断に用いられるキーワードをキーワード記憶部に記憶させることができる。すなわち、上述の構成を備える携帯電話機は、ユーザがキーワード記憶部に記憶させるキーワードを選出するのを支援することができる。
【００３８】
また、前記携帯電話機は、さらに、前記判断手段が重要と判断する重要メールを受信して前記決定にかかる報知を開始した後、ユーザが当該報知にかかるメールの内容を確認する操作を行ったか否かを繰り返し判断する操作判断手段を備え、前記重要メールを受信したときに、前記操作判断手段が肯定的な判断を行うまで、前記決定にかかる報知を、少なくとも所定間隔をあけて繰り返し実行することとしてもよい。
【００３９】
これにより、上述の構成を備える携帯電話機は、重要なメールを受信したときに、その
メールがユーザによって確認されるまで、ユーザに対する報知を断続的に実行するので、仮にユーザが報知に気付かなかったとしても、断続的に報知を実行してユーザによるメールの確認を促すことができる。また、断続的に報知を実行するので、常に報知を実行し続ける場合に比べると、電池の消費速度を低減させることができる。
【００４０】
また、前記携帯電話機は、さらに、電池残量を検出する残量検出手段と、検出した電池残量が所定値以下であるか否かを判定する残量判定手段と、前記判断手段が重要と判断するメールを受信したときに、前記残量判定手段による判定を実行させ、電池残量が所定値以下と判定された場合に、携帯電話機が備える機能のうち所定の機能の実行のみを許可し、その他の機能の実行を抑止する機能制御手段とを備えることとしてもよい。
【００４１】
これにより、重要なメールを受信したときに電池残量が所定値以下である場合に、携帯電話機が備える機能のうち、その一部の実行を抑止することで、抑止を行わない場合に比べて携帯電話機の消費電力を小さくすることができる。すなわち、電池残量が所定値以下の状態で重要なメールを受信したときに、携帯電話機が電池切れの状態になるまでの時間を、機能の実行の抑止を行わない場合よりも長くすることができる。
【００４２】
したがって、携帯電話機が重要なメールを受信して決定手段が決定した報知方法による報知を実行したにもかかわらず、ユーザによるメールの確認がメールの受信から直ちに行われなかった場合に、そのままメールが確認されず電池切れのためにメールの確認が不可能になる事態が発生するおそれを従来よりも小さくすることができる。換言すれば、ユーザによって重要なメールが確認される機会を増やすことができる。
【図面の簡単な説明】
【００４３】
【図１】本発明の実施の形態にかかる携帯電話機の機能ブロック図である。
【図２】図２（ａ）は、報知試験モードフラグ２１０を示す図であり、図２（ｂ）は、ユーザ設定表２２０を示す図である。
【図３】図３（ａ）は、報知パターン表３１０を示す図であり、図３（ｂ）は報知結果表３２０を示す図であり、図３（ｃ）は読み出しフラグ３３０ を示す図である。
【図４】電話帳４００を示す図である。
【図５】共通キーワード表５００を示す図である。
【図６】メールを受信した時に、制御部１１０がメール受信時の報知方法を決定して報知を行う処理を示すフローチャートである。
【図７】携帯電話機１０００が報知試験モードのときに、制御部１１０が重要メール受信時の報知方法を決定して報知を行う処理を示すフローチャートである。
【図８】制御部１１０が行う重要度判断処理を示すフローチャートである。
【図９】制御部１１０が、報知結果に応じて報知結果表３２０を更新する処理を示すフローチャートである。
【図１０】制御部１１０が、報知試験にかかるすべての報知結果に基づいて、報知方法を選出し、重要メール受信時の報知方法として設定する処理を示すフローチャートである。
【発明を実施するための形態】
【００４４】
＜実施の形態＞
＜概要＞
まず、本発明の実施の形態にかかる携帯電話機の概要を説明する。
【００４５】
本発明の携帯電話機は、複数の報知方法を用いて、メールの受信をユーザに対して報知することができる。報知方法には、効果音や楽曲などの音声データを鳴動させる方法や、バイブレータによって携帯電話機を振動させる方法や、発光部によって光を発光させる方
法がある。
【００４６】
携帯電話機は、メールを受信すると、受信メールに所定のキーワードが含まれているか否かに基づいて、受信メールが、ユーザにとって重要な重要メールであるか、重要ではない通常メールであるかを判断する。判断結果に応じて、メールの受信をユーザに報知する報知方法を決定し、決定した報知方法による報知を実行する。通常メール受信時とは異なる報知方法で、重要メール受信時の報知を行うので、ユーザは、重要メール受信時に、ユーザが早期に確認することが望ましい重要メールを受信したことを知覚することができる。
【００４７】
しかし、重要メール受信時における報知を実行したにもかかわらず、ユーザが報知に気付かない等の事情のために、重要メールが早期に確認されないことがある。
【００４８】
この場合、携帯電話機は、ユーザが早期にメールの受信を知覚することができる報知方法を選出するために、どの報知方法がユーザによるメールの早期確認に最も効果的かを試験する報知試験を行う。
【００４９】
報知試験を行って、試験の結果に基づいて報知方法を選出すると、選出した報知方法を、重要メール受信時の報知方法に設定し、以後、重要メールを受信するごとに、選出し設定した報知方法を用いて報知を行う。報知方法を設定した後も、設定した報知方法がユーザにとってメールの早期確認に効果的な報知方法でなくなると、再び、報知試験を開始する。
【００５０】
これにより、携帯電話機は、ユーザに対して効果的な報知方法が変化した場合でも、その変化に応じた報知方法を、新たに選出することができる。
【００５１】
以下、本発明にかかる携帯電話機について、図面を用いて説明する。
【００５２】
＜構成＞
図１は、本発明の実施の形態にかかる携帯電話機の機能ブロック図である。
【００５３】
同図に示すように、携帯電話機１０００は、アンテナ１０１と、送受信部１０２と、記憶部１０３と、操作部１０４と、ディスプレイ１０５と、振動制御部１０６と、LED（Light Emitting Diode） 発光部１０７と、スピーカ１０８と、制御部１１０とを備え、制御部１１０は、報知制御部１１１と、計時部１１２とを含む。
【００５４】
アンテナ１０１は、通信電波の送受信を行う。
【００５５】
送受信部１０２は、無線信号を送受信する無線回路であり、制御部１１０から出力される通信データを変調し、アンテナ１０１を介して送信する。また、アンテナ１０１を介して受信した通信データを復調し、制御部１１０へ出力する。ここで、通信データとは、通話のための音声データや、メールの送受信にかかる制御信号などのことをいう。
【００５６】
記憶部１０３は、データの書き換えが可能な不揮発性のメモリであり、後述する電話帳４００や共通キーワード表５００を記憶している。また、報知方法にかかるユーザ設定や、報知試験に関連したデータや、各種フラグなどを記憶しており、詳細は後述する。
【００５７】
操作部１０４は、通話開始キーや通話終了キー、テンキー等であり、ユーザの操作を受け付ける。
【００５８】
ディスプレイ１０５は、液晶パネル等であり、制御部１１０から出力された信号を受け付けて、メール本文、文字、画像、現在時刻などの表示を行う。
【００５９】
振動制御部１０６は、図示しないバイブレータの動作を制御する制御回路であり、バイブレータの振動時間や振動間隔や振動強度などを制御して携帯電話機１０００を振動させる。
【００６０】
LED発光部１０７は、電圧を加えることで発光する半導体素子（LED）であり、複数色の光を発光する。
【００６１】
スピーカ１０８は、制御部１１０による制御に従って、メール受信時の報知音の鳴動を実行する。
【００６２】
制御部１１０は、CPU（Central  Processing  Unit）、ROM（Read  Only  Memory）、RA M（Random  Access  Memory）等を備え、ROMに格納されているプログラムに従って、メール受信時の処理を制御する。メール受信時の処理とは、送受信部を介して通信データを受信する処理や、受信したメールの重要度を判断する処理や、メール受信時の報知方法を決定する処理などである。
【００６３】
制御部１１０に含まれる報知制御部１１１は、振動制御部１０６と、LED発光部１０７
と、スピーカ１０８の動作を制御する。
【００６４】
また、計時部１１２は、時間を計時する計時機能を有し、計時した時間を保持する。
【００６５】
＜データ＞
＜ユーザ設定に関連したデータ＞
次に、ユーザ設定に関連したデータについて説明する。
【００６６】
ユーザ設定に関連したデータとは、報知試験モードフラグ２１０とユーザ設定表２２０である。これらのデータは、記憶部１０３に記憶されており、メールの受信を報知する報知方法を決定する際に、制御部１１０によって用いられる。以下、図面を用いて説明する。
【００６７】
図２（ａ）は、報知試験モードフラグ２１０を示す図である。
【００６８】
報知試験モードフラグ２１０は、携帯電話機１０００が報知試験を実行しているか否かを判別するためのフラグである。報知試験モードフラグ２１０が「ＯＮ」を示している場合は、携帯電話機１０００が報知試験の実行期間中であることを表す報知試験モードであることを示し、「ＯＦＦ」であれば報知試験の実行期間中ではないことを表す通常モードであることを示す。
【００６９】
図２（ｂ）は、ユーザ設定表２２０を示す図である。
【００７０】
ユーザ設定表２２０は、メール受信時に用いる報知方法の設定を記憶しており、同図に示すように、メール種別２２１と、着信レベル２２２と、振動パターン２２３と、LEDパ
ターン２２４とを含む。
【００７１】
メール種別２２１は、受信したメールの種別を示す。メールの種別には、重要メールと通常メールとがある。重要メールとは、制御部１１０によって、携帯電話機１０００が受信したメールは重要であると判断されたメールのことであり、通常メールとは、受信した
メールは重要ではないと判断されたメールのことである。
【００７２】
着信レベル２２２は、メールの種別ごとに、メール受信時に鳴動させる報知音の音量レベルを示している。同図に示す例では、音量レベルは「０」から「５」の６段階に設定可能である。例えば、音量レベル「５」のときには、報知制御部１１１は、スピーカ１０８を制御して、スピーカ１０８が出力可能な最も大きな音量で報知音を鳴動させ、音量レベル「０」のときには、報知音を鳴動させないようにする。
【００７３】
振動パターン２２３は、メールの種別ごとに、メール受信時におけるバイブレータの振動方法を識別する識別番号を示している。図示していないが、バイブレータの振動方法の識別番号は、予めバイブレータの振動時間と振動間隔と振動強度とからなる組と対応づけられている。
【００７４】
例えば、報知制御部１１１は、振動方法の識別番号「０」のときには、バイブレータによる振動を行わないよう振動制御部１０６を制御する。また、報知制御部１１１は、振動時間と振動間隔とを組み合わせた振動パターンを５通り設定しておき、さらに、振動パターン各々に対して２通りの振動強度を設定して、合計１０通りの振動方法各々に「１」から「１０」までの識別番号を与えておくことによって、１０通りの方法でバイブレータの振動を実行させることができる。
【００７５】
LEDパターン２２４は、メールの種別ごとに、メール受信時にLED発光部１０７が実行する発光の発光方法を識別する識別番号を示している。図示していないが、LEDの発光方法
の識別番号は、予めLEDのカラーパターンと、点滅パターンと、発光強度とからなる組と
対応づけられている。
【００７６】
例えば、報知制御部１１１は、発光方法の識別番号「０」のときには、LED発光部１０
７を制御してLEDの発光をさせないようにする。また、報知制御部１１１は、カラーパタ
ーンを７通り、点滅パターンを４通り設定しておき、さらに、カラーパターンと点滅パターンとの組み合わせ各々に対して２通りの発光強度を設定して、合計５６通りの発光方法各々に「１」から「５６」までの識別番号を与えておくことによって、５６通りの方法でLED発光部１０７に発光させることができる。
【００７７】
＜報知試験に関連したデータ＞
次に、報知試験に関連したデータについて説明する。
【００７８】
報知試験に関連したデータとは、報知パターン表３１０と、報知結果表３２０と、読み出しフラグ３３０である。これらのデータは、記憶部１０３に記憶されており、携帯電話機１０００が報知試験を実行する際に、制御部１１０によって用いられる。以下、図面を用いて説明する。
【００７９】
図３（ａ）は、報知パターン表３１０を示す図である。
【００８０】
報知パターン表３１０は、携帯電話機１０００が報知試験を行うときの、各報知方法の設定を記憶しており、同図に示すように、報知方法ID３１１と、着信レベル３１２と、振動パターン３１３と、LEDパターン３１４とを含む。
【００８１】
報知方法ID３１１は、報知試験を行うときの報知方法各々を識別するための識別子である。同図では、識別子を「Ａ」「Ｂ」「Ｃ」・・・で示している。
【００８２】
着信レベル３１２は、メール受信時に鳴動させる報知音の音量レベルを示し、振動パタ
ーン３１３は、メール受信時におけるバイブレータの振動方法を識別する識別番号を示し、LEDパターン３１４は、メール受信時にLED発光部１０７が実行するLEDの発光方法の識別番号を示す。なお、各パラメータの詳細は、着信レベル３１２については図２（ｂ）の着信レベル２２２と、振動パターン３１３については振動パターン２２３と、LEDパターン３１４についてはLEDパターン２２４と同一であるため、説明を省略する。
【００８３】
次に、図３（ｂ）に示す報知結果表３２０について説明する。
【００８４】
報知結果表３２０は、携帯電話機１０００が報知試験モードである場合に、各報知試験を実行した結果である報知結果を各々記憶しており、同図に示すように、番号３２１と、報知方法３２２と、応答時間３２３と、応答有無３２４とを含む。
【００８５】
番号３２１は、各報知結果を識別するための識別番号である。
【００８６】
報知方法３２２は、報知試験を行う際に実行する報知方法の識別子を示す。報知方法３２２に含まれる識別子は、図３（ａ）に示す報知パターン表３１０の、報知方法ID３１１に含まれる識別子と対応している。図３（ｂ）の例で説明すると、番号３２１の「１」と対応づけられている報知方法３２２の「Ａ」は、図３（ａ）に示す報知パターン表３１０の、報知方法ID３１１が「Ａ」の報知方法によってメール受信時の報知が実行されたことを示す。
【００８７】
応答時間３２３は、メール受信にかかる報知を実行してからユーザがメールを確認する操作を行うまでの時間である応答時間を記憶している。この応答時間は、計時部１１２によって計時される。報知を実行してから、予め記憶部１０３に記憶させておいた所定時間を過ぎてもユーザがメールを確認する操作を行わなかった場合は、応答がなかったことを示す所定の数値が制御部１１０によって応答時間３２３に記憶される。
【００８８】
例えば、記憶部１０３に、所定時間を４分間と記憶させておく。制御部１１０は、メールを受信してから所定時間である４分間を過ぎてもユーザがメールを確認する操作を行わなかった場合に、応答がなかったことを示す所定の数値として４分１５秒などの値を記憶させる。
【００８９】
図３（ｂ）の例で説明すると、番号３２１の「７」にかかる報知試験は、報知方法「Ｃ」によって報知を実行し、報知の実行から７秒後に、ユーザがメールの確認操作を行ったことを示している。
【００９０】
応答有無３２４は、計時部１１２ が計時を開始してから所定時間内にユーザがメール
を確認する操作を行ったか否かを示す。応答有無３２４が「ＹＥＳステップ」の場合は、所定時間内にユーザがメールを確認する操作を行ったことを示し、「ＮＯ」の場合は、操作を行わなかったことを示す。
【００９１】
なお、同図の例は、番号３２１の「８」にかかる報知試験までが実行されている場合における、報知結果表３２０の例であり、番号３２１の「９」にかかる報知試験は、まだ実行されていない。そのため、番号３２１の「９」に対応する応答時間３２３と応答有無３２４には、報知試験の実行結果を示す値は記憶されていない。
【００９２】
次に、図３（ｃ）に示す読み出しフラグ３３０について説明する。
【００９３】
読み出しフラグ３３０は、携帯電話機１０００が報知試験モードである場合に、各報知試験のうちいずれを実行するかを示す。読み出しフラグ３３０に記憶されている値は、図
３（ｂ）に示す報知結果表３２０の番号３２１に含まれる各識別番号に対応している。
【００９４】
図３（ｂ）および（ｃ）の例で説明すると、読み出しフラグ３３０には「９」が記憶されている。制御部１１０は、報知試験を行う際に、読み出しフラグ３３０を参照して、報知結果表３２０の番号３２１の「９」にかかる報知試験を実行する。
【００９５】
＜ メールの重要度の判断に関連したデータ＞
次に、メールの重要度の判断に関連したデータについて説明する。
【００９６】
メールの重要度の判断に関連したデータとは、電話帳４００と、共通キーワード表５００である。これらのデータは、記憶部１０３に記憶されており、携帯電話機１０００がメールを受信して、制御部１１０が受信メールの重要度を判断する処理を行う際に、制御部１１０によって用いられる。受信したメールの重要度を判断する処理は、具体的には、以下に示す図４のキーワード４５および図５に示す共通キーワード５２に記憶されているキーワードと、図４に示す点数４６および図５に示す設定点数５３に記憶されている点数とを用いて行われるが、この処理については後述する。以下、電話帳４００および共通キーワード表５００について、図面を用いて説明する。
【００９７】
図４ は、電話帳４００を示す図である。
【００９８】
同図に示すように、電話帳４００は、登録番号４１と、名前４２と、電話番号４３と、メールアドレス４４と、キーワード４５と、点数４６とを含む。
【００９９】
登録番号４１は、電話帳に登録されている通信相手各々を識別するための識別子である。
【０１００】
名前４２は、通信相手の名前を記憶している。
【０１０１】
電話番号４３は、通信相手の電話番号を記憶している。
【０１０２】
メールアドレス４４は、通信相手のメールアドレスを記憶している。
【０１０３】
キーワード４５は、通信相手ごとに、１以上のキーワードを記憶している。
【０１０４】
点数４６は、キーワードごとに設定された点数を記憶している。
【０１０５】
次に、図５に示す共通キーワード表５００について説明する。
【０１０６】
同図に示すように、共通キーワード表５００は、キーワード登録番号５１と、共通キーワード５２と、設定点数５３とを含む。
【０１０７】
キーワード登録番号５１は、共通キーワード表５００によって記憶されている各キーワードを識別する識別子である。
【０１０８】
共通キーワード５２は、キーワードを記憶している。
【０１０９】
設定点数５３は、キーワードごとに設定された点数を記憶している。
【０１１０】
＜動作＞
次に、携帯電話機１０００の動作について説明する。
【０１１１】
上述したように、携帯電話機１０００は、キーワードを用いて受信したメールの重要度を判断し、判断結果に応じてメール受信時の報知方法を決定する。以下、報知方法を決定する処理について、携帯電話機１０００が報知試験モードであるか否かと、に分けて、それぞれ図面を用いて説明する。
【０１１２】
図６は、メールを受信した時に、制御部１１０がメール受信時の報知方法を決定して報知を行う処理を示すフローチャートである。
【０１１３】
図６に示すように、制御部１１０は、携帯電話機１０００がメールを受信すると（ステップＳ６０１）、受信したメールの重要度を判断し、判断結果に応じて、受信したメールの重要度を示す重要メールフラグを、重要であることを示す「オン」または重要でないことを示す「オフ」にする（ステップＳ６０２）。なお、重要メールフラグは、記憶部１０３に記憶されている。また、ステップＳ６０２の、受信したメールの重要度を判断する重要度判断処理については、後述する＜メール重要度判断処理＞で詳しく説明する。
【０１１４】
重要メールフラグを参照して、重要メールフラグが「オフ」のとき、すなわちステップＳ６０２において、受信したメールは重要ではないと判断したときは（ステップＳ６０３： ＮＯ）、記憶部１０３が記憶しているユーザ設定表２２０を参照し、通常メールと対応づけて設定されている報知方法に従って、メール受信時の報知を実行する。
【０１１５】
重要メールフラグが「オン」のとき、すなわちステップＳ６０２において、受信したメールは重要であると判断したときは（ステップＳ６０３：ＹＥＳ） 、報知試験モードフラグ２１０を参照して、携帯電話機１０００が報知試験モードであるか否かを判断する（ステップＳ６０５）。携帯電話機１０００が報知試験モードであるときの処理については（ステップＳ６０５：ＹＥＳ）、後述する＜報知試験モードの場合の処理＞ で詳しく説明し、ここでは、携帯電話機１０００が報知試験モードではないときの処理について説明する。
【０１１６】
ステップＳ６０５において、制御部１１０は、携帯電話機１０００が報知試験モードではないと判断したときは（ステップＳ６０５：ＮＯ）、ユーザ設定表２２０を参照し、重要メールと対応づけて設定されている報知方法に従って、メール受信時の報知を実行する。
【０１１７】
報知を実行するとともに計時部１１２によって計時を開始し、計時部１１２が所定時間を計時するまでの間に、ユーザが操作部１０４を介して当該報知にかかるメールを確認する操作を行ったか否かを判断し（ステップＳ６０７）、所定時間内にユーザが確認操作を行った場合は（ステップＳ６０７：ＹＥＳ）、処理を終了する。
【０１１８】
計時部１１２が所定時間を計時してもユーザが当該報知にかかるメールを確認する操作を行わなかった場合は（ステップＳ６０７：ＮＯ）、制御部１１０は、報知試験モードフラグ２１０を「Ｏ Ｎ」にして携帯電話機１０００を報知試験モードに移行させ（ステッ
プＳ６０８）、その後、処理を終了する。
【０１１９】
＜ 報知試験モード移行処理＞
ここで、ステップＳ６０８の、携帯電話機１０００を報知試験モードに移行させる処理について詳しく説明すると、制御部１１０は、報知試験モードフラグ２１０を「ＯＮ」にし、読み出しフラグ３３０を初期化する。読み出しフラグ３３０の初期化を行うとともに、重要メールを受信するごとに実行する報知方法の順番を決定する。報知方法の順番を決定すると、決定した順に、報知結果表３２０の報知方法３２２に番号３２１と対応づけて順に記憶させる。
【０１２０】
図３を用いて説明すると、例えば、制御部１１０は、報知パターン表３１０の報知方法ID３１１に記憶されている報知方法のうち、報知方法IDが「Ａ」「Ｂ」「Ｃ」「Ｄ」の４つの報知方法にかかる報知を、重要メールを受信するごとに順に実行し、４つの報知方法各々による報知をそれぞれ４回ずつ、計１６回の報知を実行すると決定する。報知方法の実行順と回数とを決定すると、決定した順番に従って、報知方法３２２に、番号３２１と対応づけて、順に、報知方法IDを記憶させる。
【０１２１】
図３（ｂ）の例で具体的に説明すると、番号３２１の「１」と対応づけて報知方法ID「Ａ」を報知方法３２２に記憶させ、続いて、番号３２１の「２」と対応づけて報知方法ID「Ｂ」を報知方法３２２に記憶させる。以下、番号３２１の「１６」と報知方法ID「Ｄ」とを対応づけて記憶させるまで、順に報知方法IDを番号３２１と対応づけて報知方法３２２に記憶させる。
【０１２２】
＜報知試験モードの場合の処理＞
ステップＳ６０５では、重要メールを受信した携帯電話機１０００が報知試験モードであるか否かを判断しているが、報知試験モードであると判断した場合（ステップＳ６０５：ＹＥＳ） の処理について、図面を用いて説明する。
【０１２３】
図７は、携帯電話機１０００が報知試験モードのときに、制御部１１０が重要メール受信時の報知方法を決定して報知を行う処理を示すフローチャートである。
【０１２４】
同図に示すように、制御部１１０は、図３の報知結果表３２０と読み出しフラグ３３０とを参照し、報知結果表３２０の番号３２１に含まれる識別番号のうち、読み出しフラグ３３０に示されている値と同一の識別番号を有するレコードを検出し、当該同一の識別番号と対応づけられて記憶している報知方法を報知方法３２２から読み出す（ステップＳ７０６）。
【０１２５】
読み出した報知方法による報知を、報知制御部１１１による制御のもとで実行する（ステップＳ７０７）。報知を実行すると、計時部１１２に、計時を開始させる。なお、後述する＜報知結果表更新処理＞ で詳しく説明するが、計時部１１２が計時する時間は、報
知を実行してから操作部１０４を介して当該報知にかかるメールを確認する操作を受け付けるまでの時間が所定時間内であるか否かを判断するために用いられる。
【０１２６】
報知の実行後、制御部１１０は、読み出しフラグ３３０に示される値が所定値と等しいか否かを判断する（ステップＳ７０８）。ここで、所定値には、報知試験を実行する回数と同一の値が設定される。例えば、報知試験を実行する回数が１６回のときは、所定値は「１６」である。
【０１２７】
読み出しフラグ３３０に示される値が所定値と等しくないと判断すると（ステップＳ７０８：ＮＯ）、報知試験はまだ終了していないので、読み出しフラグ３３０を更新する（ステップＳ７０９）。具体的には、読み出しフラグ３３０に示される値に１を加算した値を、新たに読み出しフラグ３３０に記憶させる。
【０１２８】
読み出しフラグ３３０を更新すると、報知試験の結果である報知結果に応じて、報知結果表３２０を更新する（ステップＳ７１０）。報知結果表３２０を更新する処理については、後述する＜報知結果表更新処理＞ で詳しく説明する。報知結果表３２０を更新する
と、処理を終了する。
【０１２９】
一方、ステップＳ７０８において、読み出しフラグ３３０に示される値が所定値と等しいと判断すると（ステップＳ７０８：ＹＥＳ）、すべての報知試験にかかる報知を実行したことになるので、報知試験モードフラグ２１０を「ＯＦＦ」にして携帯電話機１０００を通常モードに移行させる。
【０１３０】
通常モードに移行させると、報知試験の結果である報知結果に応じて、報知結果表３ 
２０を更新する（ステップＳ７１２）。なお、ステップＳ７１２における制御部１１０の処理は、ステップＳ７１０の処理と概ね同一であるため、後述する＜報知結果表更新処理＞で同様に詳しく説明する。
【０１３１】
報知結果表３２０を更新すると、制御部１１０は、報知試験にかかるすべての報知結果に基づいて、ユーザの応答率が最も高い報知方法を選出し、選出した報知方法を、図２ 
（ｂ）に示すユーザ設定表２２０の、重要メールを受信した際における報知方法として記憶部１０３に記憶させる（ステップＳ７１３）。なお、ステップＳ７１３における制御部１１０の処理についても、後述する＜ 報知方法設定処理＞ で詳しく説明する。
【０１３２】
＜ メール重要度判断処理＞
次に、図６に示すステップＳ６０２の、メールの重要度を判断する重要度判断処理について、図面を用いて詳しく説明する。
【０１３３】
はじめに、重要度判断処理の概要を説明すると、制御部１１０は、受信したメールに、電話帳４００および共通キーワード表５００から読み出した各キーワードが含まれていると、各キーワードと対応づけられている点数を変数SCOREに加算する。キーワードがメー
ルに含まれるごとに、点数を加算する処理を繰り返し、加算処理の完了後、変数SCOREが
所定点数を超えていると、受信したメールは重要であると判断する。以下、詳しく説明する。
【０１３４】
図８は、制御部１１０が行う重要度判断処理を示すフローチャートである。
【０１３５】
制御部１１０は、まず、変数SCOREを初期化する（ステップＳ８０１）。変数SCOREとは、点数の合計を格納するための変数であり、記憶部１０３に記憶されている。ここでは、変数SCOREを「０」に初期化している。
【０１３６】
変数SCOREの初期化を行うと、記憶部１０３に記憶されている共通キーワード表５００
から共通キーワード５２と設定点数５３を読み出してRAMに格納する（ステップＳ８０２
）。
【０１３７】
共通キーワード表５００からの読み出しを終えると、受信したメールのメールアドレスと、電話帳４００のメールアドレス４４とを参照し、電話帳４００に登録されているメールアドレスか否かを判断する（ステップＳ８０３）。
【０１３８】
登録されているメールアドレスのときは（ステップＳ８０３：ＹＥＳ）、メールアドレスと対応づけられているキーワードと点数とを、それぞれキーワード４５と点数４６とから読み出してRAMに格納する（ステップＳ８０４）。
【０１３９】
ステップＳ８０３において、否定的な判断をした場合、すなわち登録されているメールアドレスではないと判断した場合は（ステップＳ８０３：ＮＯ）、電話帳４００からキーワードと点数の読み出しを行わない。
【０１４０】
キーワードと点数の読み出しを終えると、RAMに格納した各キーワードを順に読み出し
てメール本文と比較し、キーワードがメール本文に含まれているか判定する。含まれていると判定すれば、その都度、変数SCOREに、キーワードと対応づけられている点数を加算
していく（ステップＳ８０５）。キーワードとメール本文との比較を、RAMに格納してい
るすべてのキーワードとの比較を終えるまで実行する（ステップＳ８０６：ＮＯ、ステップＳ８０５）。
【０１４１】
RAMに格納しているすべてのキーワードとメール本文との比較を終え、キーワードと対
応づけられている点数を変数S C O R Eへ加算する加算処理を終えると（ステップＳ８０
６：ＹＥＳ）、変数SCOREが所定点数よりも大きいか否かを判断する（ステップＳ８０７
）。所定点数とは、例えば５点である。
【０１４２】
所定点数よりも大きいと判断すると（ステップＳ８０７：ＹＥＳ）、記憶部１０３に記憶されている重要メールフラグを「オン」にし（ステップＳ８０８）、変数SCOREが所定
点数よりも小さいと判断すると（ステップＳ８０７：ＮＯ）、重要メールフラグを「オフ」にする（ステップＳ８０９）。
【０１４３】
このようにして、制御部１１０は、メールを受信したときに、受信したメールの重要度を判断し、判断結果に応じて重要メールフラグを「オン」または「オフ」にする。
【０１４４】
＜報知結果表更新処理＞
次に、図７のステップＳ７１０およびステップＳ７１２において制御部１１０が実行する処理について、図面を用いて詳しく説明する。
【０１４５】
図９は、制御部１１０が、報知結果に応じて報知結果表３２０を更新する処理を示すフローチャートである。
【０１４６】
制御部１１０は、報知制御部１１１による制御のもとで報知試験にかかる報知を実行し、報知の実行とともに計時部１１２によって計時を開始させる（ステップＳ９０１）。計時部１１２が行う計時は、制御部１１０が操作部１０４を介してユーザによる当該報知試験にかかる重要メールの確認操作を受け付けるか、または、計時開始から所定時間が経過するまで行われる。計時開始から所定時間内に制御部１１０が重要メールの確認操作を受け付けると、計時部１１２は、計時を終了し、制御部１１０が確認操作を受け付けた時点で計時している時間を保持する。
【０１４７】
制御部１１０は、計時部１１２が計時を行っている期間内において、当該報知試験にかかる重要メールの確認操作を操作部１０４が受け付けることなく、新たに携帯電話機１０００が重要メールを受信したか否かを判断する（ステップＳ９０２）。すなわち、ステップＳ９０１の計時を開始した後に、ユーザによる確認操作を受け付けることなく新たにメールを受信すると、その新たに受信したメールの重要度を判断する。
【０１４８】
新たに重要メールを受信したと判断すると（ステップＳ９０２：ＹＥＳ）、制御部１１０は、当該報知試験にかかる重要メールが、計時開始から所定時間内にユーザによって読み出されなかったと判断して、報知結果表３２０の、当該報知試験と対応づけられている応答時間３２３に、応答がなかったことを示す所定の数値を記憶させ、同様に当該報知試験と対応づけられている応答有無３２４に「ＮＯ」を記憶させる（ステップＳ９０５）。具体的に説明すると、読み出しフラグ３３０に基づいて、当該報知試験と対応づけられている応答時間３２３を特定し、特定した応答時間３２３に、所定の数値を記憶させ、同様に当該報知試験と対応づけられている応答有無３２４に「ＮＯ」を記憶させる。
【０１４９】
ステップＳ９０２において、計時部１１２が計時を行っている期間内に、新たに重要メ
ールを受信しなかったと判断した場合は（ステップＳ９０２：ＮＯ）、報知開始から所定時間内に重要メールの確認操作を受け付けたか否かを判断する（ステップＳ９０３）。
【０１５０】
重要メールの確認操作を受け付けなかった場合は（ステップＳ９０３：ＮＯ）、報知結果表３２０の、当該報知試験と対応づけられている応答時間３２３に、応答がなかったことを示す所定の数値を記憶させ、同様に当該報知試験と対応づけられている応答有無３２４に「ＮＯ」を記憶させる（ステップＳ９０５）。
【０１５１】
ステップＳ９０３において、重要メールの確認操作を受け付けたと判断した場合は（ステップＳ９０３：ＹＥＳ）、計時部１１２が計時を行って保持している時間を、当該報知試験と対応づけられている応答時間３２３に記憶させ、同様に当該報知試験と対応づけられている応答有無３２４に「ＹＥＳ」を記憶させる（ステップＳ９０４）。
【０１５２】
このようにして、制御部１１０は、報知結果に応じて報知結果表３２０を更新する処理を行う。
【０１５３】
＜報知方法設定処理＞
次に、図７のステップＳ７１３において制御部１１０が実行する処理について、図面を用いて説明する。
【０１５４】
図１０は、制御部１１０が、報知試験にかかるすべての報知結果に基づいて、報知方法を選出し、重要メール受信時の報知方法として設定する処理を示すフローチャートである。
【０１５５】
制御部１１０は、報知結果表３２０に記憶されている各報知方法の応答有無３２４に基づいて、報知の実行開始から所定時間内にユーザによってメールが確認された確率を報知方法ごとに算出し、ユーザによるメール確認率の最も高い報知方法を選出する（ステップＳ１００１）。選出を完了すると、選出した報知方法が複数存在するか否かを判断する（ステップＳ１００２）。
【０１５６】
複数存在すると判断した場合は（ステップＳ１００２：ＹＥＳ）、選出された報知方法ごとに、各報知方法と対応づけられている応答時間３２３の平均値を算出し（ステップＳ１００３）、平均値の最も小さい報知方法を選出する。選出した報知方法を、ユーザ設定表２２０の重要メール受信時における報知方法に設定する（ステップＳ１００４）。
【０１５７】
ステップＳ１００２において、複数存在しないと判断した場合は（ステップＳ１００２：ＮＯ）、ユーザによるメール確認率の最も高い報知方法を、ユーザ設定表２２０の重要メール受信時における報知方法に設定する（ステップＳ１００５）。
＜補足＞
以上のように本発明にかかる携帯電話機について実施の形態に基づいて説明したが、以下のように変形することもでき、本発明は上述の実施の形態で示した携帯電話機に限られないことは勿論である。
【０１５８】
（１）図８に示す重要度判断処理では、制御部１１０は、キーワードと点数とを電話帳４００および共通キーワード表５００から読み込んで、メール本文に所定のキーワードが含まれるごとに点数を加算し、加算した点数の合計が所定点以上のときに、携帯電話機１０００が受信したメールを重要メールと判断することとしているが、必ずしもキーワードが含まれるごとに点数の加算を行う構成とする必要はなく、所定のキーワードがメール本文に含まれているか否かで、受信したメールの重要度を判断することとしてもよい。
【０１５９】
（２）図８に示す重要度判断処理では、受信したメールのメールアドレスが電話帳４００に含まれているときに、メールアドレスに対応づけられているキーワードを電話帳４００から読み出すこととしているが、この処理は必ずしも必要ではなく、共通キーワード表５００の共通キーワード５２のみを用いてメールの重要度を判断することとしてもよい。
【０１６０】
（３）図８に示す重要度判断処理では、制御部１１０は、すべてのキーワードとメール本文とを比較し、加算した点数の合計が所定点以上のときに、携帯電話機１０００が受信したメールを重要メールと判断することとしているが、すべてのキーワードとメール本文とを比較する必要はなく、点数の合計が所定点以上となったときに、重要メールフラグをオンにすることとしてもよい。
【０１６１】
（４）上述の実施の形態では、メールの重要度の判断に用いられるキーワードを予め記憶部１０３に記憶させておくこととしているが、このキーワードは、他の機器等から携帯電話機１０００に対して登録するよう要求することが可能であることとしてもよい。キーワードの登録要求を受け付けると、受け付けたキーワードを電話帳４００または共通キーワード表５００に記憶させることで、制御部１１０は、メールの重要度を判断する際に、登録要求にかかるキーワードを用いることができる。
【０１６２】
キーワードの登録要求を受け付ける方法を具体的に説明すると、例えば、メールのタイトルに「キーワード登録」、メール本文にキーワードを含めた形式のメールを所定形式と定めておき、その所定形式で送られたメールを受信したときに、その受信にかかるメールを、キーワードの登録要求として受け付けることができる。登録要求にかかるキーワードが複数存在する場合には、各キーワードを「、」や「＠」等、所定の文字で区切ることとしてもよい。
【０１６３】
例えば、メールタイトル「キーワード登録」、メール本文「チケット、Ｋスタジアム」からなるメールを受信したときに、制御部１１０は、受信にかかるメールをキーワードの登録要求として受け付けて、キーワード「チケット」と「Ｋスタジアム」を記憶部１０３に記憶させる。メールの送信者のメールアドレスが電話帳４００に含まれるメールアドレスのときは、メールアドレス４４に含まれるメールアドレスと対応づけて、登録要求にかかるキーワードを記憶させることとしてもよい。
【０１６４】
また、受信したメールに頻出するキーワードを抽出して、抽出したキーワードを登録するかユーザに確認させることとしてもよい。
【０１６５】
具体的な方法を説明すると、制御部１１０は、メールを受信するごとに、受信したメールを記憶部１０３に記憶させておく。記憶部１０３は、受信したメールの履歴を記憶し、少なくとも所定件数、例えば１００件以上のメールを記憶することができるとする。
【０１６６】
また、記憶部１０３は、ユーザによって入力された文字を単語等へ変換する際に用いられる辞書を予め記憶している。
【０１６７】
制御部１１０は、記憶部１０３が記憶している辞書に基づいて、辞書に含まれている単語と、記憶しているメールの履歴とを比較し、メールに含まれている単語を抽出し、単語ごとに抽出回数を保持しておく。このとき、例えば名詞のみを抽出というように、所定の条件を付加して単語を抽出することとしてもよい。抽出を終えると、抽出した単語を抽出回数と対応づけた、単語ごとの出現頻度を記憶部１０３に記憶させる。
【０１６８】
単語ごとに出現頻度を記憶させると、単語ごとに、出現頻度が所定頻度以上であるかを判断し、判断結果が肯定的である単語を選出する。単語の選出を終えると、選出した単語
をディスプレイ１０５に表示し、ユーザに対して、選出にかかる単語を登録するか確認させる。
【０１６９】
なお、単語の抽出回数に基づいて、単語の抽出を行う例を示したが、これに限らず、単語が含まれているメールが読み出された確率、または、単語が含まれているメールが読み出されるまでの時間に基づいて、ユーザに対して登録するか確認させる単語の抽出を行うこともできる。
【０１７０】
例えば、メールを受信するごとに、受信にかかるメールが読み出されたか、または、メールが読み出されるまでの時間を記憶しておくことで、制御部１１０は、単語を抽出するごとに、その単語が含まれているメールが読み出された確率であるメール読み出し率や、メールが読み出されるまでの時間であるメール読み出し時間を、抽出した単語と対応づけて記憶部１０３に記憶させることができる。なお、メールが読み出されるまでの時間とは、報知を実行してからユーザが操作部１０４を介してメールを確認する操作を行う間での時間であり、この時間は、計時部１１２が計時する。
【０１７１】
制御部１１０は、メール読み出し率やメール読み出し時間を記憶させると、メール読み出し率が所定率以上であるか、メール読み出し時間が所定時間以下であるかを判断することで、判断結果が肯定的である単語を、ユーザに対して登録するよう要求する単語として選出することができる。
【０１７２】
判断結果が肯定的である単語は、ユーザがメールの受信から早期に確認したメールに含まれている単語である。すなわち、重要メールに含まれている単語である可能性が高い。したがって、携帯電話機１０００は、重要メールに含まれる可能性が高い単語を、ユーザに対して登録するよう促すことができる。
【０１７３】
（５）図８では、受信メールの重要度を判断するために、キーワードを用いることとして説明してきたが、キーワードの他に、受信したメールに関連する情報を用いて受信メールの重要度を判断することとしてもよい。
【０１７４】
上述したように、本発明にかかる携帯電話機は、メール受信時に、受信したメールに関連する情報に基づいて、受信したメールが重要であるか否かを判断する判断手段と、前記判断結果に応じて、当該メールの受信をユーザに知覚させるために用いる知覚報知方法を決定する決定手段とを備えるが、ここで、前記受信したメールに関連する情報とは、メールに添付される添付ファイルのことであり、前記判断手段は、受信したメールに、添付ファイルが添付されているときに重要であると判断することとしてもよい。
【０１７５】
また、前記受信したメールに関連する情報とは、メールに添付される添付ファイルの種類のことであり、前記判断手段は、受信したメールに、所定の種類の添付ファイルが添付されているときに重要であると判断することとしてもよい。
【０１７６】
ここで、添付ファイルの種類とは、画像ファイルや動画ファイル、音声ファイル、テキストファイルなどである。前記携帯電話機は、ファイルの拡張子やファイルヘッダを参照して、ファイルの種類を判別する。例えば、画像ファイルの拡張子としては JPEG（Joint
Photographic Experts Group）、動画ファイルの拡張子としてはMPEG-4 （Moving Picture Experts Group phase 4）などがあり、これらファイルの拡張子を参照して、各ファイルの種類を判別する。
【０１７７】
また、前記受信したメールに関連する情報とは、メールの同報者の有無であり、前記判断手段は、受信したメールが、同報者を含むメールのときに重要であると判断することと
してもよい。
【０１７８】
また、前記受信したメールに関連する情報とは、メールの送信者名と送信時間帯のことであり、前記判断手段は、所定の送信者名が所定の送信時間帯に送信したメールを、重要と判断することとしてもよい。
【０１７９】
ここで、送信者名は、受信したメールのメールアドレスと電話帳４００とに基づいて判別することができる。また、送信時間帯は、メールヘッダを参照して取得することができる。例えば、Eメールであれば、メールヘッダの「Date」フィールドを参照して、メール
送信者のメール送信日時を取得することができる。他に、携帯電話機１０００がメールを受信した時間を、送信時間帯としてもよい。
【０１８０】
また、前記受信したメールに関連する情報とは、受信したメールを送信している送信者に関連する情報であり、前記送信者に関連する情報とは、ユーザの、前記送信者に対するメール送信頻度のことであり、前記判断手段は、前記送信者に対するメール送信頻度が所定頻度以上のときに重要であると判断することとしてもよい。
【０１８１】
また、前記送信者に関連する情報とは、前記送信者の、ユーザに対するメール送信頻度のことであり、前記判断手段は、前記ユーザに対するメール送信頻度が所定頻度以上の時に重要であると判断することとしてもよい。
【０１８２】
また、前記送信者に関連する情報とは、ユーザの、前記送信者が送信したメールに対する返信率のことであり、前記判断手段は、前記送信者が送信したメールに対する返信率が所定値以上のときに重要であると判断することとしてもよい。
【０１８３】
また、前記送信者に関連する情報とは、前記送信者がメールを送信した位置であり、前記判断手段は、前記位置が所定位置であるか否かに応じて、前記判断を行うこととしてもよい。
【０１８４】
ここで、前記送信者が、メールを送信した位置をメールによって前記携帯電話機に通知するには、例えば、送信者側の携帯電話機が、基地局やGPS（Global Positioning System）測位機能を用いて取得した位置情報をテキストファイルやHTML（Hyper Text Markup Language）ファイルに含め、これらファイルを添付してメールを送信することで、受信側の携帯電話機１０００は、送信者の位置を含む添付ファイルを受信することができる。
【０１８５】
添付ファイルに含まれる位置情報を用いてメールの重要度を判断する方法としては、例えば、送信者の位置と自機の位置とが同一の時に、受信メールを重要と判断することとしてもよい。具体的に説明すると、携帯電話機１０００は、メール受信時に、基地局やGPS
測位機能等を用いて自機の所在地を取得し、取得した自機の所在地と、添付ファイルに含まれている送信者の位置とが同一のときに、受信メールを重要と判断することとしてもよい。
【０１８６】
（６）上述した実施の形態では、携帯電話機１０００は、着信レベルと、振動パターンと、LED発光パターンとを組み合わせて報知を行うこととして説明してきたが、メールの
受信にかかる報知は、断続的に実行することとしてもよい。報知を断続的に実行するとは、１回限りの報知ではなく、ユーザがメールの確認を行うまで、少なくとも所定間隔をあけて繰り返し報知を実行することである。
【０１８７】
上述した断続的な報知を実行するためには、例えば、図２（ｂ）のユーザ設定表２２０に、断続的な報知であるか否かを示す情報を付加すればよい。携帯電話機１０００は、報
知を行う際に、ユーザ設定表２２０を参照して、断続的な報知を行うよう指定されていれば、当該報知を断続的に実行する。
【０１８８】
具体的な実行方法を説明すると、制御部１１０は、報知制御部１１１の制御のもとで報知を実行させると、計時部１１２に計時を開始させるとともに、所定時間内にユーザが操作部１０４を介してメールを確認する操作を行ったか否かを逐次判断する。計時部１１２に計時させている計時時間が所定時間を経過してもユーザによる確認操作を受け付けなかった場合は、再度、報知制御部１１１の制御のもとで報知を実行する。このとき、報知間隔を決定する。
【０１８９】
報知の実行を行うと、制御部１１０は、計時部１１２に計時を開始させ、決定した報知間隔内にユーザがメールの確認操作を行ったか否かの判断処理を再度行う。報知間隔を過ぎても確認操作を受け付けなかった場合は、再び、報知の実行と報知間隔の決定とを行い、ユーザがメールの確認操作を行うまで、上述の処理を繰り返し実行する。なお、制御部１１０が決定する報知間隔は、少なくとも所定間隔以上になるように決定する。例えば、所定間隔が５分であれば、制御部１１０は、報知間隔を、５分を超えるように決定する。なお、報知間隔は、固定間隔とすることとしてもよい。
【０１９０】
（７）上述した携帯電話機１０００は、さらに、重要メール受信時に電池残量が所定値以下であれば、携帯電話機１０００が電源ONの状態をできるだけ長く保持するために、所定の機能の実行を抑止することとしてもよい。例えば、アラーム機能の実行を抑止したり、アニメーションの表示を停止したりすることとしてもよい。
【０１９１】
上記の構成を実現するため、携帯電話機１０００は、さらに、電池の残量を検出する残量検出部を備えている。制御部１１０は、重要メール受信時に、残量検出部が検出している電池残量が所定値以下であるか否かを判断し、所定値以下であれば、所定の機能の実行を抑止する。このように動作することで、上記構成を実現することができる。
【０１９２】
また、携帯電話機１０００は、電源をONにしたときに、ユーザが確認していない重要メールが存在すると、未確認の重要メールが存在することをディスプレイ１０５に表示することとしてもよい。これにより、ユーザに対して、重要メールの確認を促すことができる。例えば、重要メールを受信しているにもかかわらず、携帯電話機１０００の電池が切れて電源がOFFとなった場合であっても、携帯電話機１０００は、外部電源等から電源の供給を受けて電源をONにした時に、直ちにユーザに対してメールの確認を促すことができ、ユーザによるメールの早期確認に寄与することができる。
【０１９３】
（８）上述した実施形態では、報知試験を行って、報知結果に基づいて重要メール受信時の報知方法を選出することとしていたが、これに限らず、報知試験を行わずとも、報知方法とその応答時間及び応答有無とを対応づけた報知結果履歴を図３（ｂ）の報知結果表３２０のように記憶しておき、所定件数分の報知結果履歴に基づいて報知方法を選出することとしてもよい。
【０１９４】
（９）上述した実施形態では、図３（ａ）に示す報知パターン表３１０は、予め記憶しておくこととしてもよいし、ユーザが設定することとしてもよいし、ネットワークを介したダウンロードや、他の機器との通信を介して受信した設定を記憶させることとしてもよい。
【０１９５】
（１０）本発明は、上記に示す方法であるとしてもよい。また、これらの方法をコンピュータにより実現するコンピュータプログラムであるとしてもよい。
【０１９６】
（１１）上記実施の形態及び上記変形例をそれぞれ組み合わせるとしてもよい。
【符号の説明】
【０１９７】
１０１  アンテナ
１０２  送受信部
１０３  記憶部
１０４  操作部
１０５  ディスプレイ
１０６  振動制御部
１０７  LED発光部
１０８  スピーカ
１１０  制御部
１１１  報知制御部
１１２  計時部
【図１】
0005511723.tif 000002
【図２】
0005511723.tif 000003
【図３】
0005511723.tif 000004
【図４】
0005511723.tif 000005
【図５】
0005511723.tif 000006
【図６】
0005511723.tif 000007
【図７】
0005511723.tif 000008
【図８】
0005511723.tif 000009
【図９】
0005511723.tif 000010
【図１０】
0005511723.tif 000011